(57)【要約】【課題】理容および美容時に理容および美容用クロスに脱着可能に備えられた透明窓を利用して携帯端末を利用することができ、理容および美容時に施術を妨害せずに理容および美容顧客が人体工学的に便利な姿勢で携帯端末の画面が配置され得るように、理容および美容用クロスに脱着可能に備えられた透明窓の支持台に設置して利用することができ、理容および美容用クロスに脱着可能に備えられた透明窓を利用して透明窓の素材に関係なく透明窓を分離して洗濯することができるため、洗濯が容易でいつも清潔な理容および美容用クロスを提供することができる。【解決手段】本発明による理容および美容用クロスは、布または合成樹脂からなり、後方側に顧客の頭が収容される着用口が形成されたパネル部材と、前記パネル部材の着用口を中心に前方側に携帯端末を見ることができる透明窓部材とがフレーム部材により脱着可能に結合されることを特徴とする。【選択図】図１
2013121484.tif 000002
【特許請求の範囲】
【請求項１】
理容および美容用クロスにおいて
布または合成樹脂からなり、後方側に顧客の頭が収容される着用口が形成されたパネル部材と、
前記パネル部材の着用口を中心に前方側に携帯端末を見ることができる透明窓部材とがフレーム部材により脱着可能に結合される理容および美容用クロス。
【請求項２】
前記透明窓部材は、透明素材からなるウィンドウと前記ウィンドウ周囲に一体的に形成された第１脱着結合部とからなり、前記フレーム部材は、前記パネル部材の開口周囲に延長される第２脱着結合部と前記第２脱着結合部上に配置される枠とを含む、請求項１に記載の理容および美容用クロス。
【請求項３】
前記第１脱着結合部および前記第２脱着結合部は、面ファスナーからなる、請求項２に記載の理容および美容用クロス。
【請求項４】
前記第１脱着結合部と前記第２脱着結合部は、複数の離隔配置されたプラスチックで成形された雄雌ファスナーからなる、請求項２に記載の理容および美容用クロス。
【請求項５】
前記第１脱着結合部と前記第２脱着結合部は、複数の離隔配置されたスナップボタンからなる、請求項２に記載の理容および美容用クロス。
【請求項６】
前記枠にはヒンジ結合部を介して支持部材が結合され、前記支持部材には据置部が突出形成される、請求項２に記載の理容および美容用クロス。
【請求項７】
前記枠は、梯形板状枠であって内部にウィンドウ収容口を有し、前記梯形板状枠は弾性復原力を有し、前記枠には板状結合部が延長され、前記板状結合部には所定間隔を置いて補助枠が配置され、前記板状結合部は前記補助枠を中心に折畳可能である、請求項２に記載の理容および美容用クロス。
【請求項８】
前記枠は、プラスチックまたは鋼鉄からなる、請求項２に記載の理容および美容用クロス。
【発明の詳細な説明】
【技術分野】
【０００１】
本発明は、理容および美容用クロスに関し、より詳しくは、理容室や美容室でカットをしたりパーマなど長時間にかけて髪の手入れを受けながらスマートフォン、パッド型端末、タブレット型端末、ノート型端末など携帯端末を自由に利用することができる理容および美容用クロスに関する。
【背景技術】
【０００２】
一般に老若男女を問わず利用する理容室や美容室で、毛髪を切ったり、パーマ、染色など手入れを受けるときには、理美容用クロスで身体を包んで、毛髪が服の中に入ったり、染色剤、パーマ薬など化学薬品が身体または服に付くことを防止している。
【０００３】
しかし、カットだけする場合にも最低で２０分あまりの時間がかかるなど、髪の手入れのために、被施術者は、それより長時間にわたりクロスで包まれた状態でいなければならない。
【０００４】
特に理美容用クロスは、汚染や染みなどが容易に発生するため、大部分が不透明合成樹脂や布からなる。このため、被施術者は、携帯端末などを手に持っていても、これを利用するために、腕をクロス外部に出して利用しなければならないという問題点がある。
【０００５】
このような問題点を解消するために、最近、透明窓を備えた理美容用クロスが提案されている。しかし、このような理美容用クロスの透明窓は、被施術者が座ってカットなどをしてもらいながら携帯用端末機器を利用できる所定の位置に配置されるようになっていないばかりか、柔軟な素材の理美容用クロスに形成されているため所定の形態を維持することができず、被施術者は、理美容用クロスで身体を包まれた後に、透明窓を探さなければならない、という問題点がある。
【０００６】
また、理美容用クロスは、公衆衛生上、頻繁に洗濯しなければならないにもかかわらず、透明窓が設けられている場合、洗濯機などに故障を起こし得るため、手で洗濯しなければならないなど、洗濯が容易でないという問題点がある。
【０００７】
また、理美容の被施術者は理美容の施術時に携帯端末などを使用することができず、特に緊急な電話がくる場合などには、施術を中断して携帯端末を利用しなければならないという問題点がある。
【０００８】
また、理美容施術、例えば、染色時間、中和時間など顧客が一人で待機する時間に携帯端末を利用する場合に、頭を過度に下げると染色剤など化学薬品などが流れ落ち得るため、携帯端末の画面の高さを人体工学的にいつでもどこでも便利に使用可能に支持することができないという問題点がある。
【発明の概要】
【発明が解決しようとする課題】
【０００９】
本発明は、上記問題点を解消するために案出されたものであって、本発明の目的は、理美容用クロスの前面一部分に透明窓を脱着させることができ、その透明窓を所定の高さに支持することができるため、理美容時に施術を妨害せずに携帯端末を人体工学的に便利な姿勢で利用することができ、透明窓を脱着させることができるため、透明窓の素材に関係なく洗濯が容易な理容および美容用クロスを提供することにある。
【課題を解決するための手段】
【００１０】
本発明の理容および美容用クロスは、布または合成樹脂からなり後方側に顧客の頭が収容される着用口が形成されたパネル部材と、パネル部材の着用口を中心に前方側に携帯端末を見ることができる透明窓部材とが、フレーム部材により脱着可能に結合されることを特徴とする。
【発明の効果】
【００１１】
本発明によれば、理容および美容時に理容および美容用クロスに脱着可能に備えられた透明窓を通じて携帯端末を利用することができる。
【００１２】
本発明によれば、理容および美容時に施術を妨害せずに理容および美容顧客が人体工学的に便利な姿勢で携帯端末の画面が配置され得るように、理容および美容用クロスに脱着可能に備えられた透明窓の支持台に設置して利用することができる。
【００１３】
本発明によれば、理容および美容用クロスに脱着可能に備えられた透明窓を利用して、透明窓の素材に関係なく透明窓を分離して洗濯することができるため、洗濯が容易でいつも清潔な理容および美容用クロスを提供することができる。
【図面の簡単な説明】
【００１４】
【図１】本発明の一実施形態による理容および美容用クロスの使用状態図である。
【図２】本発明の一実施形態による理容および美容用クロスの展開図である。
【図３】図２のＡ部分の拡大図である。
【図４】図４（ａ）乃至図４（ｃ）は、本発明の一実施形態による理容および美容用クロスの部分拡大図である。
【図５】本発明の一実施形態による理容および美容用クロスの変形例の概念図である。
【図６】図６（ａ）および図６（ｂ）は、本発明の他の実施形態による理容および美容用クロスの部分拡大図およびその変形例の概念図である。
【発明を実施するための形態】
【００１５】
以下、本発明の好適な実施の形態を添付図面を参照して詳しく説明する。まず、各図面の構成要素に参照符号を付加するにあたり、同一な構成要素に対しては他の図面上に表示する場合にもできるだけ同一な符号を付加するようにしている。また、本発明を説明するに当たり、関連した公知構成または機能に対する具体的な説明が本発明の要旨を不明確にすると判断される場合には、その詳細な説明は省略する。
【００１６】
以下、図１から図３を参照して本発明の一実施形態による理容および美容用クロスについて詳しく説明する。
【００１７】
図１は、本発明の一実施形態にる理容および美容用クロスの使用状態図であり、図２は、本発明の一実施形態による理容および美容用クロスの展開図であり、図３は、図２のＡ部分の拡大図である。
【００１８】
本発明の一実施形態による理容および美容用クロス１００は、布または合成樹脂からなり、後方側に顧客の頭が収容される着用口１０３ａが形成されたパネル部材１０３で身体を包む場合にも、着用口１０３ａを中心に前方側に携帯端末１０１を見ることができる透明窓部材１１０がフレーム部材１３０により脱着可能に結合されている。
【００１９】
図４から図６を参照して、本発明の一実施形態による理容および美容用クロス１００をより詳しく説明する。
【００２０】
図４から図６は、本発明の一実施形態による理容および美容用クロスの部分拡大図である。
【００２１】
本発明の一実施形態による理容および美容用クロス１００において、図４に示されている構成では、透明窓部材１１０は、透明素材からなるウィンドウ１１１と、ウィンドウ１１１周囲に一体的に形成された第１脱着結合部１１３とからなり、フレーム部材１３０は、パネル部材１０３の開口１０３ｂ周囲に延長される第２脱着結合部１３３と、第２脱着結合部１３３上に配置される枠１３１とを含んで構成される。
【００２２】
ここで、枠１３１は、鋼鉄またはプラスチック材からなり、所定の強度を有することによって、ウィンドウ１１１が所定の形状を維持することができるように構成される。
【００２３】
図４に示されているように、第１脱着結合部１１３および第２脱着結合部１３３は、不織布または織布からなる雄雌のループ１１３ａおよびフック１３３ａを有する面ファスナー（ベルクロ（登録商標）またはマジックテープ（登録商標））により、一体型または分離型に提供され得る。
【００２４】
一方、図５に示されている構成では、第１脱着結合部１１３および第２脱着結合部１３３は、所定間隔で離隔配置され、ウィンドウ１１１が透明樹脂、透明フィルム、透明合成樹脂、透明合成ガラスなどからなるとき、これに離隔結合されたプラスチック材の雄雌ファスナー１１３ａ、１３３ａからなることができる。雄雌は互いに反対に配置されてもよく、雄雌ファスナー１１３ａ、１３３ａの間に線形態の枠１３１が収容結合される構成とすることができる。
【００２５】
また、図６に示されている構成では、第１脱着結合部１１３および第２脱着結合部１３３は、所定間隔で離隔配置され、ウィンドウ１１１が透明樹脂、透明フィルム、透明合成樹脂、透明合成ガラスなどからなる時、これに離隔結合された雄雌ボタン１１３ａ、１３３ａからなることができ、雄雌は互いに反対に配置されてもよく、前記雄雌ボタン１１３ａ、１３３ａの間に線形態の枠１３１が収容結合され得る。
【００２６】
次に、図５を参照して本発明の一実施形態による理容および美容用クロス１００において透明窓部材１１０が携帯端末１０１の画面を頭を過度に下げずに人体工学的に安定した位置で見ることができるように所定角度に配置され得るかについて説明する。
【００２７】
図５は、本発明の一実施形態による理容および美容用クロスの変形例の概念図である。
【００２８】
本発明の一実施形態による理容および美容用クロス１００において、透明窓部材１１０周辺に配置される前記枠１３１には、ヒンジ結合部１３４を介して支持部材１３５が結合され、前記支持部材１３５を前記ヒンジ結合部１３４を中心に所定角度に広げて支持する時、前記携帯端末１０１を膝上で所定角度に配置する空間を確保することができる。
【００２９】
もちろん、前記支持部材１３５には、前記携帯端末１０１の据置部１３６をさらに突出形成することができる。
【００３０】
次に、図６（ａ）および図６（ｂ）を参照して本発明の他の実施形態による理容および美容用クロスの部分拡大図およびその変形例について説明する。
【００３１】
図６（ａ）および図６（ｂ）は、本発明の他の実施形態による理容および美容用クロスの部分拡大図およびその変形例の概念図である。
【００３２】
図６（ａ）に示されているように、前記枠１４１は、線状枠でない梯形板状枠からなって内部にウィンドウ収容口１４１ａを有し、前記梯形板状枠１４１は弾性復原力を有する材質からなり、前記板状枠１４１には板状結合部１４３が延長され、前記板状結合部１４３には所定間隔を置いて金属材またはプラスチック材で耐久性を提供する補助枠１４２ａ、１４２ｂ、１４２ｃ…が配置され、前記板状結合部１４３は前記補助枠１４２ａ、１４２ｂ、１４２ｃ…を中心に折畳切れ部１４３ａ、１４３ｂ、１４３ｃを有して折畳可能であるため、所定角度に前記透明窓部材１１０を配置することができ、前記折畳切れ部を折畳む程度に応じて角度が変わり、折畳切れ部１４３ａ、１４３ｂ、１４３ｃを利用して携帯端末１０１を据置させることができる。これによって、理容および美容時に理容および美容用クロスに脱着可能に備えられた透明窓を利用して携帯端末を利用することができ、理容および美容時に施術を妨害せずに理容および美容顧客が人体工学的に便利な姿勢で携帯端末の画面が配置され得るように、理容および美容用クロスに脱着可能に備えられた透明窓の支持台に設置して利用することができ、理容および美容用クロスに脱着可能に備えられた透明窓を利用して透明窓の素材に関係なく透明窓を分離して洗濯することができるため、洗濯が容易でいつも清潔な理容および美容用クロスを提供することができる。
【符号の説明】
【００３３】
１１１…ウィンドウ
１１３、１３３…脱着結合部
１３１…枠
１３５…据置部材
１３４…ヒンジ結合部
１４３…板状据置部材
【図１】
2013121484.tif 000003
【図２】
2013121484.tif 000004
【図３】
2013121484.tif 000005
【図４】
2013121484.tif 000006
【図５】
2013121484.tif 000007
【図６】
2013121484.tif 000008